(57)【要約】【課題】  監視システムのハードウェアコストを抑えることができ、同時に設置が容易で警備員による使用上の利便性も高い、自動映像キャプチャ統合監視システムを提供する。【解決手段】  撮影エリア範囲内の広角映像と特定目標の拡大映像を取り込む自動映像キャプチャ装置と、自動映像キャプチャ装置に接続され、取り込まれた広角映像の連続して相隣する時間の映像を比較し、前後の映像に異動がある場合、差異点を特定目標に設定し、その拡大映像を取り込ませる映像処理装置と、映像処理装置に接続され、取り込まれた映像を記憶するメモリ装置と、メモリ装置に接続され、メモリ装置内の映像をディスプレイ装置に伝送する伝送装置と、各装置に接続され、自動映像キャプチャ装置の映像キャプチャ範囲と、映像処理装置の映像処理及びメモリ装置の映像保存及び伝送を制御する制御装置とを含み、自動的に特定の目標を識別して撮影し、映像を遠端の監視装置へと伝送する。【選択図】  図１
0003109866.tif 000002
【実用新案登録請求の範囲】
【請求項１】
自動的に特定の目標を識別し、且つ、映像を遠端の監視装置へと伝送することができる自動映像キャプチャ統合監視システムであって、
１つ以上のカメラセットを備え、必要に応じ撮影エリア範囲内の広角映像と特定目標の拡大映像をキャプチャすることができる自動映像キャプチャ装置と、
該自動映像キャプチャ装置に接続され、取り込まれた広角映像の連続して相隣する時間の映像を比較して、前後の映像に異動が発生した場合、差異点を特定目標に設定し、この目標の拡大映像をキャプチャさせる映像処理装置と、
該映像処理装置に接続され、広角映像と特定目標の拡大映像を記憶するメモリ装置と、該メモリ装置に接続され、該メモリ装置内の映像を１つ以上のディスプレイ装置に伝送する伝送装置と、
上述の各装置に接続され、自動映像キャプチャ装置の映像キャプチャ範囲と、映像処理装置の映像処理及びメモリ装置の映像保存及び伝送を制御する制御装置と、を含む自動映像キャプチャ統合監視システム。
【請求項２】
前記ディスプレイ装置が監視装置または録画装置のうちの１つである、請求項１に記載の自動映像キャプチャ統合監視システム。
【請求項３】
前記カメラセットが、固定式広角カメラと可動式望遠カメラを含む、請求項１に記載の自動映像キャプチャ統合監視システム。
【請求項４】
前記カメラセットが可動式ズームカメラである、請求項１に記載の自動映像キャプチャ統合監視システム。
【請求項５】
前記映像処理装置が映像処理チップである、請求項１に記載の自動映像キャプチャ統合監視システム。
【請求項６】
前記映像処理装置に使用する比較方法が、位置移動検知、外形比較、色彩比較、大小比較、赤外線温度比較、速度比較のうちのいずれかである、請求項１に記載の自動映像キャプチャ統合監視システム。
【請求項７】
前記メモリ装置が高容量ハードディスクまたはデジタルメモリユニットである、請求項１に記載の自動映像キャプチャ統合監視システム。
【請求項８】
前記制御装置がマイクロプロセッサである、請求項１に記載の自動映像キャプチャ統合監視システム。
【請求項９】
前記伝送装置がケーブル伝送またはワイヤレス伝送である、請求項１に記載の自動映像キャプチャ統合監視システム。
【請求項１０】
前記望遠カメラの前に可動式レンズセットを設置した、請求項３に記載の自動映像キャプチャ統合監視システム
【請求項１１】
前記ズームカメラの前に可動式レンズセットを設置した、請求項４に記載の自動映像キャプチャ統合監視システム。
【考案の詳細な説明】
【技術分野】
【０００１】
本考案は監視システムに関し、詳細には、自動映像キャプチャ統合監視システムに関する。
【背景技術】
【０００２】
目まぐるしい社会の変遷と、都市の密度が上昇し続ける中、犯罪の比率もまた上昇を続け、現代は商店や住宅のどれもが次の犯罪のターゲットになる可能性がある。相対的に、多くの薄暗い小道が治安の死角になっており、人々の生命や財産の安全を確保するため、街角や商店、銀行、ビル等各所に監視装置が設置されている。これらの監視装置は、犯罪者の犯罪意図を抑制できるだけでなく、犯罪者の様子を録画し、事件後の警察の捜査に役立たせることができる。
【０００３】
一般的な従来の監視システムは、カメラ装置を街角や商店等に設置し、制御システム及び監視装置を警備室や警察単位に設置して構成される。警備員が監視モニタに異常を見つけると、一方では警報システムを起動し、警備員を現場へ確認に行かせることができ、もう一方では疑わしい画面をカメラの遠隔操作で部分的に拡大し、警察の捜査を助けることができる。しかしながら、従来の監視装置システムにおいて、街角に設置されているカメラ装置は、制御信号ケーブルとデータ伝送ケーブルを警備室や警察単位にある制御システム及び監視装置へ配線する必要がある。このため、カメラ装置と監視エンド（制御システム及び監視装置を含む）間の伝送ケーブルが、制御信号の伝送を行う必要があるだけでなく、映像データの伝送も行わなければならず、ケーブルに疲労が発生したり、配線コストが高くなったり、或いは故障が発生しやすい等の欠点がある。
【０００４】
また、監視エンドの制御システムにはコンピュータ、制御ソフトウェア、映像処理ソフトウェア、メモリユニット等の設備が必要であり、ハードウェア設備が多すぎてコスト高になり、業者にとってコスト上の負担が大きくなり、販売にも不利であると共に、警備員による設置と使用において不便であるという欠点がある。
【０００５】
このため、いかにカメラ装置と監視エンド間の伝送ケーブルの繁忙な動作を抑え、制御システムのハードウェアコストの負担を減少し、警備員の作業の負担を軽減しながら、低コストでシステムの安定性の高い監視装置システムを確保するかが、業者にとって至急解決すべき問題となっている。
【考案の開示】
【考案が解決しようとする課題】
【０００６】
上述の従来の監視システムにおける欠点に鑑みて、本考案の考案者は、その該項産業における長年の経験に基づき研究を重ね、自動映像キャプチャ統合監視システムを開発し、大幅に監視システムの設置及び使用における複雑性と全体のコストを低減することに成功した。
【０００７】
本考案の主な目的は、制御装置とカメラ装置を統合することで、制御装置に自動的にカメラ装置を駆動させ、且つ、メモリ装置が映像を記録すると共に監視装置へと映像を伝送し、警備員の業務上の負担を軽くすると共に、カメラ装置と監視エンド間の伝送ケーブルの繁忙な動作を低減し、監視システムのハードウェアコストを抑え、同時に設置が容易で、警備員による使用上の利便性も高い、自動映像キャプチャ統合監視システムを提供することにある。
【課題を解決するための手段】
【０００８】
上述の目的を達するため、本考案の自動映像キャプチャ統合監視システムは、自動的に特定の目標を識別し、且つ、映像を遠端の監視装置へと伝送することができるものであり、本考案の自動映像キャプチャ統合監視システムは、カメラセットを備え、必要に応じ撮影エリア範囲内の広角映像と特定目標の拡大映像をキャプチャすることができる自動映像キャプチャ装置と、該自動映像キャプチャ装置に接続され、取り込まれた広角映像の連続して相隣する時間の映像を比較して、前後の映像に異動が発生した場合、差異のある箇所を特定の目標と設定し、この目標の拡大映像をキャプチャさせる映像処理装置と、該映像処理装置に接続され、広角映像と特定目標の拡大映像を記憶するメモリ装置と、該メモリ装置に接続され、該メモリ装置内の映像を１つ以上のディスプレイ装置に伝送する伝送装置と、上述の各装置に接続され、自動映像キャプチャ装置の映像キャプチャ範囲と、映像処理装置の映像処理及びメモリ装置の映像保存及び伝送を制御する制御装置と、を含んで成る。
【考案の効果】
【０００９】
本考案に係る自動映像キャプチャ統合監視システムは、以上のように、制御装置とカメラ装置を統合することにより、制御装置に自動的にカメラ装置を駆動させ、且つ、映像を記録してディスプレイ装置へ伝送することができ、警備員の業務上の負担を軽減できるだけでなく、カメラ装置と監視エンド間の伝送ケーブルの繁忙な動作を低減し、監視システムのハードウェアコストを抑えることができる。
【考案を実施するための最良の形態】
【００１０】
図１に示すように、本考案の自動映像キャプチャ統合監視システムは、自動映像キャプチャ統合監視システム１を含み、該自動映像キャプチャ統合監視システム１は、映像取り込み範囲内すべての映像をキャプチャする機能と、特定の目標に対し局部的に拡大したエリアの映像をキャプチャする機能を備えた自動映像キャプチャ装置１１と、該自動映像キャプチャ装置１１が取り込んだ前後の映像を比較する機能を備え、その比較の方法は位置移動検知、外形比較、色彩比較、大小比較、赤外線温度比較、速度比較等のうちから、主に使用場所及び対象により適切なものを選択的に１つ採用し、この比較後に差異点があった場合、その差異点を特定の目標として設定し、制御装置１４に通知して自動映像キャプチャ装置１１を駆動させ、局部エリアの拡大映像をキャプチャさせる映像処理装置１２と、高容量ハードディスクまたはその他デジタルメモリユニットを備え、自動映像キャプチャ装置１１が取り込んだ映像を記憶することができるメモリ装置１３と、ケーブル伝送及びワイヤレス伝送を利用し、該メモリ装置１３内の映像をディスプレイ装置１６（監視装置または録画機）へ伝送する伝送装置１５と、マイクロプロセッサとすることができ、自動映像キャプチャ装置１１の映像取り込み、映像処理装置１２の映像処理及びメモリ装置１３の映像保存と伝送を制御することができる制御装置１４と、を含んで成る。
【００１１】
〔実施例１〕
図２に本考案の実施例１を示す。本実施例のうち、第一映像キャプチャ装置１１２は、固定式の広角カメラとすることができ、その固定された位置でカバーできる範囲内の広角映像信号を連続してキャプチャする。映像処理装置１２’は、コンピュータまたは映像処理プログラムを内蔵した映像処理チップとすることができ、前述の第一時間点とその前の時間点の広角映像信号を連続して比較し、比較結果に差異がみられた場合、その差異点を特定の目標として設定し、第二映像キャプチャ装置１１４で局部的に映像を拡大してこの目標の拡大映像をキャプチャする。該第二映像キャプチャ装置１１４は、可動式望遠カメラとすることができ、制御装置１４’により制御され、各第一時間に特定目標と設定された拡大映像信号をキャプチャする。メモリ装置１３’は、コンピュータのハードディスクやメモリまたはその他記録メディアとすることができ、前述の各装置に接続され、並持續記録広角映像信号と特定目標の拡大映像信号を継続的に記録する。
【００１２】
前述の第二映像キャプチャ装置１１４は、固定式望遠カメラ前端に可動式反射装置１７（図４参照）を設置して構成される。該可動式反射装置１７は、座体１７１、反射鏡１７２、縦方向駆動器１７３及び横方向駆動器１７４から構成され、そのうち、該反射鏡１７２は、その背面の回動可能な支点１７５が座体１７１上に連結され、縦方向駆動器１７３及び横方向駆動器１７４が支点１７５に対し九十度の角度でそれぞれ座体１７１上に固定され、且つ、その前端が該反射鏡１７２背面の対応する位置にそれぞれ接続される。この設計により、該縦方向駆動器１７３及び横方向駆動器１７４の制御を通し、反射鏡１７２を対応して偏向させ反射角度を形成し、固定式望遠カメラの映像取り込み方向を変えることができる。
【００１３】
本考案を用いた監視方法には大きく次の手順が含まれる。広角映像信号の連続取り込み：第一映像キャプチャ装置１１２（固定式広角カメラ等）を利用して固定された映像取り込み範囲の広角映像信号を連続してキャプチャする。広角映像信号の記録：取り込まれた広角映像信号をメモリ装置１３’（ハードディスク等）内に継続して記録する。差異点の判断：映像処理装置１２’が前述の第一時間点とその前の時間点の広角映像信号を連続して比較する。差異点の拡大映像信号取り込み：映像処理装置１２’により差異点の位置が定義された後、第二映像キャプチャ装置１１４（可動式望遠カメラ等）を制御して該移動目標の拡大映像信号をキャプチャする。拡大映像信号の記録：取り込まれた拡大映像信号をメモリ装置１３’に記録する。伝送：メモリ装置１３’内の映像を伝送装置１５'によりディスプレイ装置１６'へ伝送する。
【００１４】
〔実施例２〕
図３に本考案の実施例２を示す。そのうち、監視方法は実施例１とほとんど同じであるが、唯一映像キャプチャ装置に、広角レンズと望遠レンズを備えた可動式ズームカメラ１１６を使用している点が異なる。
【００１５】
本実施例を用いた監視方法には大きく次の手順が含まれる。広角映像信号の連続取り込み：固定された映像取り込み範囲の広角映像信号をキャプチャする。広角映像信号の記録：取り込まれた広角映像信号を継続してメモリ装置１３”（ハードディスク等）に記録する。差異点の判断：映像処理装置１２”が前述の第一時間点とその前の時間点の広角映像信号を連続して比較する。差異点の拡大映像信号取り込み：映像処理装置１２”により差異点の位置が定義された後、ズームカメラ１１６を望遠レンズに切換え、該差異点の拡大映像信号をキャプチャする。拡大映像信号の記録：取り込まれた拡大映像信号をメモリ装置１３”に記録する。伝送：メモリ装置１３”内の映像を伝送装置１５”によりディスプレイ装置１６”へ伝送する。
【００１６】
上述のように、本考案の自動映像キャプチャ統合監視システムは、制御装置とカメラ装置を統合することにより、制御装置に自動的にカメラ装置を駆動させ、且つ、映像を記録してディスプレイ装置へ伝送することができ、警備員の業務上の負担を軽減できるだけでなく、カメラ装置と監視エンド間の伝送ケーブルの繁忙な動作を低減し、監視システムのハードウェアコストを抑えることができる。同時に、業者にとっては設置が容易で、警備業者にとっては使用上の利便性が高く、先行技術には見られないものであり、新規性、進歩性及び産業的利用価値を兼ね備え、完全に実用新案登録請求の要件を満たすものであるため、ここに実用新案登録を請求するものである。
【図面の簡単な説明】
【００１７】
【図１】本考案の自動映像キャプチャ統合監視システムを示すダイアグラムである。
【図２】本考案の実施例１を示すダイアグラムである。
【図３】本考案の実施例２を示すダイアグラムである。
【図４】本考案の可動式反射装置の立体斜視図である。
【符号の説明】
【００１８】
１      自動映像キャプチャ統合監視システム
１１    自動映像キャプチャ装置
１１２  第一映像キャプチャ装置
１１４  第二映像キャプチャ装置
１１６  ズームカメラ
１２、１２’、１２”      映像処理装置
１３、１３’、１３”      メモリ装置
１４、１４’、１４”      制御装置
１５、１５’、１５”      伝送装置
１６、１６’、１６”      ディスプレイ装置
１７    可動式反射装置
１７１  座体
１７２  反射鏡
１７３  縦方向駆動器
１７４  横方向駆動器
１７５  支点
【図１】
0003109866.tif 000003
【図２】
0003109866.tif 000004
【図３】
0003109866.tif 000005
【図４】
0003109866.tif 000006